(57)【要約】      （修正有）【課題】バネ等の弾性部材のレイアウトの容易さと、電池の取り出しやすさとを両立しうる電池室構造を提供する。【解決手段】電池室構造１０は、電池室１１と、蓋体１２と、移動部材１３と、弾性部材とを有する。電池室は、電池を挿抜するための開口部を備えるとともに、電池底面を奥に向けた状態で電池を収納する。蓋体は開口部を閉塞する。移動部材は、電池室の内側で電池底面に対向する電池押圧部２０を備え、電池の挿抜方向に沿って移動可能に構成されてなる。弾性部材は、一端が移動部材に接続されるとともに、他端が電池室の外側に設置された反力受け部に固定され、かつ移動部材を開口部に向けて付勢する。【選択図】図１
2007026872.tif 000002
【特許請求の範囲】
【請求項１】
電池を挿抜するための開口部を備えるとともに、電池底面を奥に向けた状態で前記電池を収納する電池室と、
前記開口部を閉塞する蓋体と、
前記電池室の内側で前記電池底面に対向する電池押圧部を備え、前記電池の挿抜方向に沿って移動可能に構成されてなる移動部材と、
一端が前記移動部材に接続されるとともに、他端が前記電池室の外側に設置された反力受け部に固定され、かつ前記移動部材を前記開口部に向けて付勢する弾性部材と、
を有することを特徴とする電池室構造。
【請求項２】
請求項１に記載の電池室構造において、前記電池押圧部には前記電池底面に対向する電池切片が形成されてなる電池室構造。
【請求項３】
請求項２に記載の電池室構造において、前記電池切片を前記電池に押し当てるための付勢力よりも前記弾性部材の付勢力が大きく設定されてなる電池室構造。
【請求項４】
請求項１から請求項３のいずれか１項に記載の電池室構造において、前記弾性部材が引張バネで構成されてなる電池室構造。
【請求項５】
請求項１から請求項３のいずれか１項に記載の電池室構造において、前記弾性部材が圧縮バネで構成されてなる電池室構造。
【請求項６】
請求項１から請求項５のいずれか１項に記載の電池室構造を有するカメラ。
【発明の詳細な説明】
【技術分野】
【０００１】
本発明は、カメラ等の電子機器に適用される電池室構造に関する。
【背景技術】
【０００２】
カメラ等の電子機器では、電池を収納する電池室内にバネを配置した構成が従来から公知である（特許文献１参照）。かかるバネは、電池の取り出しの容易化を目的の一つとして電池室内に配置される。なお、電池を取り出しやすくするためにはバネを長尺化する必要があった。
【特許文献１】特開２００４−１４１２６号公報
【発明の開示】
【発明が解決しようとする課題】
【０００３】
しかし、バネを長尺化すると、バネのよたりを防止するためにコイル径も大径化することになりバネが大型化する。そのため、電池室の内部形状によっては大型化したバネの配置が非常に困難になるなどの不都合が指摘されていた。
本発明は上記従来技術の課題を解決するためのものであって、バネ等の弾性部材のレイアウトの容易さと、電池の取り出しやすさとを両立しうる電池室構造を提供することである。
【課題を解決するための手段】
【０００４】
第１の発明に係る電池室構造は、電池室と、蓋体と、移動部材と、弾性部材とを有する。電池室は、電池を挿抜するための開口部を備えるとともに、電池底面を奥に向けた状態で電池を収納する。蓋体は開口部を閉塞する。移動部材は、電池室の内側で電池底面に対向する電池押圧部を備え、電池の挿抜方向に沿って移動可能に構成されてなる。弾性部材は、一端が移動部材に接続されるとともに、他端が電池室の外側に設置された反力受け部に固定され、かつ移動部材を開口部に向けて付勢する。
【０００５】
第２の発明では、第１の発明において、電池押圧部には電池底面に対向する電池切片が形成されてなる。
第３の発明では、第２の発明において、電池切片を電池に押し当てるための付勢力よりも弾性部材の付勢力が大きく設定されてなる。
第４の発明では、第１から第３のいずれかの発明において、弾性部材が引張バネで構成されてなる。
【０００６】
第５の発明では、第１から第３のいずれかの発明において、弾性部材が圧縮バネで構成されてなる。
なお、上記発明の電池室構造を用いた各種電子機器、特に上記発明の電池室構造を用いたカメラも本発明の具体的態様として有効である。
【発明の効果】
【０００７】
本発明の電池室構造によれば、電池室の形状による制約を受けずに弾性部材をレイアウトできる。
【発明を実施するための最良の形態】
【０００８】
（第１実施形態の説明）
図１から図７は第１実施形態の電池室構造を示す図である。この第１実施形態では本発明がカメラの電池室に適用される例を説明する。
電池室構造１０は、電池室ユニット１１と、蓋体１２と、移動部材１３と、引張バネ１４とを有している。
【０００９】
電池室ユニット１１は、本体部１１ａとフランジ部１１ｂとを有している。本体部１１ａの全体形状は直方体状に形成されている。この本体部１１ａの内側は薄箱状の電池１５を収納可能な電池室を構成している。
本体部１１ａの一端（図１の上側）にはフランジ部１１ｂが形成されている。なお、第１実施形態では、カメラ底面にフランジ部１１ｂが位置するように電池室構造１０がカメラに組み込まれる（図７参照）。
【００１０】
フランジ部１１ｂには、電池挿入口１６とメモリスロット１７とが並列に開口されている。電池挿入口は本体部１１ａ（電池室）の対応位置に開口されている。すなわち、電池室は電池挿入口１６によって外部と連絡している。メモリスロット１７は不図示の外部記憶メディア（半導体メモリなど）をカメラ内に挿入するための開口である。
また、フランジ部１１ｂの周縁部は外向きに折り曲げられている。そして、電池挿入口１６の側方（図１の右側）において、フランジ部１１ｂの上記折曲部分には２つの長穴１１ｃが開口されている。この長穴１１ｃは本体部１１ａを隔てて互いに対向する位置に形成されている。
【００１１】
一方、本体部１１ａの他端側（図１の下側）は電池室の底面部分をなす。この本体部１１ａの他端側では、本体部１１ａの底面部分および側壁部分の一部が矩形状に連続して切り欠かれている。なお、図３に示すように、本体部１１ａの側壁部分の切り欠き幅は底面部分の切り欠き幅よりも若干幅狭に設定されている。
また、本体部１１ａにおいて、切り欠きのある側壁部分の外側面には引掛爪１８が形成されている。この引掛爪１８の先端は本体部１１ａの一端側に向けて屈曲している。
【００１２】
蓋体１２は、閉止状態において電池挿入口１６およびメモリスロット１７を覆う。また、蓋体１２は閉止状態においてカメラ底面の一部を構成する。
蓋体１２の全体形状はフランジ部１１ｂの形状に略合致するように形成されている。蓋体１２の側端部近傍には円筒状のピン１２ａがそれぞれ両側面に形成されている。各ピン１２ａはフランジ部１１ｂの長穴１１ｃに係合する。すなわち、蓋体１２はピン１２ａの位置を中心として電池室ユニット１１に回動可能に取り付けられる。そして、ピン１２ａを回転軸として蓋体１２の開閉が行われる。また、蓋体１２は、蓋を閉めた後に図１の右方向にスライド可能となっている。なお、蓋体１２は公知のロック機構によって閉止状態を保持できるように構成されている（上記のロック機構の詳細な説明および図示は省略する）。
【００１３】
移動部材１３は本体部１１ａの切り欠きの位置に配置される。この移動部材１３は本体部１１ａの延長方向に沿って移動可能に構成されている。また、移動部材１３はそれぞれ平板状の取付基部１９および電池押圧部２０がＬ字状に接続されて形成されている。
取付基部１９は本体部１１ａの側壁部分と平行に配置されている。この取付基部１９の電池室外側面には引掛爪２１が形成されている。この引掛爪２１の先端は本体部１１ａの他端側に向けて屈曲している。また、取付基部１９の電池室外側面には、３つの電池切片金具２２がそれぞれネジ２３で固定されている。電池切片金具２２は、可撓性を有するリード線２４を介して回路基板（不図示）に接続されている。なお、電池切片金具２２の先端（切片部２２ａ）は取付基部１９の開口を通って本体部１１ａの内側に配置されている。
【００１４】
一方、電池押圧部２０は本体部１１ａの底面と平行に配置される。この電池押圧部２０は本体部１１ａの底面切り欠きと合致する形状に形成されている。電池押圧部２０の電池室内側面には、上記の切片部２２ａが配置されている。また、図３に示すように、電池押圧部２０の基端側は側壁部分の突起に合わせて切り欠かれている。そして、電池押圧部２０の上記切り欠きはそれぞれ本体部１１ａの突起と係合している。したがって、移動部材１３の動きは本体部１１ａの切り欠きに沿ってガイドされることとなる。
【００１５】
引張バネ１４の一端は、電池室ユニット１１の引掛爪１８に係止されている。また、引張バネ１４の他端は移動部材１３の引掛爪２１に係止される。したがって、移動部材１３は引張バネ１４によって電池挿入口の方向に付勢される。図２に引張バネ１４の圧縮状態における電池室構造１０の斜視図を示す。この引張バネ１４の力は、各切片部２２ａに要求されるバネ力よりも大きく設定されている（理由は後述する）。
【００１６】
なお、第１実施形態における引張バネ１４、電池切片金具２２およびリード線２４は、不図示の外部記憶メディア用のインターフェース等と干渉しないように配置されている。
以下、第１実施形態の作用を説明する。
まず、電池室構造に電池を収納する動作を説明する。電池挿入時にはユーザーは電池底面を奥に向けた状態で電池挿入口１６から本体部１１ａに電池１５を挿入する。このとき、移動部材１３の電池押圧部２０が電池底面に押圧される。そして移動部材１３は本体部１１ａの底面の位置まで押し込まれる。その後にユーザーは本体部１１ａに電池を押し込んだ状態で蓋体１２を閉止する。なお、図４は電池室構造の電池挿入時の状態を示す断面図である。
【００１７】
移動部材１３が本体部１１ａの他端側に移動すると引張バネ１４が伸長する。そのため、電池押圧部２０は引張バネ１４の復元力で本体部１１ａの一端側に向けて付勢される。そして、電池押圧部２０に押圧された電池１５は蓋体１２によって押さえ込まれた状態となる。また、電池挿入時には引張バネ１４の復元力によって電池切片金具２２の切片部２２ａが電池１５の接点に押し当てられる。これにより電池１５と電池切片金具２２との電気的接続が確立する。
【００１８】
図５は、電池室構造１０での引張バネ１４および各切片部２２ａのバネ作用の説明図である。通常、電池室内の切片部２２ａは接触不良を回避するためにそれぞれバネ性を有している。そのため、電池１５は切片部２２ａによっても電池排出方向に付勢されることとなる。
図５（ｂ）に示す従来例のように、電池室内に電池排出用の圧縮バネを切片部２２ａと並列配置した場合、電池底面は圧縮バネで強く付勢される。また、十分な電気的接触を得るため、電池底面は各切片部２２ａによっても付勢される。すなわち、図５（ｂ）の場合には、電池収納時の電池底面には圧縮バネの付勢力Ｐ1’と切片部２２ａのバネの合力Ｐ2’との両者の合力が直接的に作用することとなる。したがって、電池底面の反力を受ける部分（蓋体１２）には電池収納時において非常に大きな荷重（Ｐ1’＋Ｐ2’）がかかる。
【００１９】
一方、第１実施形態の構成（図５（ａ））では、電池収納時には引張バネ１４の復元力Ｐ1で電池押圧部２０が電池底面に押し当てられる。また、切片部２２ａは電池押圧部２０を付勢する引張バネ１４の力（Ｐ1）で電池底面と接触する。そのため、第１実施形態では、引張バネ１４の復元力（Ｐ1）を切片部２２ａのバネの合力Ｐ2よりも大きくすることで（Ｐ1＞Ｐ2）、各切片部２２ａが電池１５の接点に接触不良をおこすことなく接触する。
【００２０】
また、第１実施形態の構成では、図５（ｂ）の構成と違って各切片部２２ａの付勢力を大きくする必要がない。よって、第１実施形態の構成における切片部２２ａのバネの付勢力は、図５（ｂ）の構成における切片部２２ａのバネの付勢力よりも小さい値とすることが可能である（すなわち、Ｐ2’＞Ｐ2）。
そして、第１実施形態の構成では、電池底面は、切片部２２ａのバネの合力Ｐ2と、引張バネ１４の復元力Ｐ1から切片部２２ａのバネの合力Ｐ2を差し引いた力（Ｐ1−Ｐ2）との合力により押圧される。そのため、切片部２２ａのバネの合力Ｐ2はキャンセルされ、電池収納時に蓋体１２にかかる荷重は引張バネ１４の復元力（Ｐ1）のみとなる。以上から、第１実施形態の装置では、電池収納時に蓋体１２にかかる荷重が図５（ｂ）の構成の装置と比べて大幅に減少する。
【００２１】
次に、電池室構造から電池を取り出す動作を説明する。ユーザーが蓋体１２の閉止状態を解除すると、引張バネ１４の復元力で移動部材１３が本体部１１ａの一端側に向けて移動する。したがって、電池押圧部２０の押圧によって電池１５が電池室の外に排出される。なお、図６は電池室構造の電池取出時の状態を示す断面図である。
以下、第１実施形態の効果を説明する。
【００２２】
第１実施形態では電池室の外側に引張バネ１４が配置されている。したがって、第１実施形態では、電池室構造の設計において、電池室形状の制約を受けずに大径のバネまたはストロークの長いバネを使用することができる。
また、第１実施形態では、電池押圧部２０に作用する引張バネ１４の復元力によって複数の切片部２２ａが電池底面に強く押し当てられる。すなわち、第１実施形態の構成では、接触不良回避のために各切片部２２ａに要求されるバネ力を著しく小さくできる。したがって、蓋体１２に要求される強度が小さくなるので、電池室構造の小型化、簡素化を図ることができる。
【００２３】
さらに、第１実施形態では引張バネ１４が用いられている。したがって、電池非挿入時にはバネが圧縮状態となるので、バネの倒れ、よたりが発生するおそれも少なくなる。
（第２実施形態の説明）
図８、図９は第２実施形態の電池室構造を示す斜視図である。なお、以後の実施形態の説明で第１実施形態と共通の構成には同一符号を付して説明を省略する。
【００２４】
第２実施形態では本体部１１ａの底面部分がすべて切り欠かれている。そして、移動部材１３の電池押圧部２０が電池室の底面部分を構成している。第２実施形態では、電池室を隔てて２つの引張バネ１４が本体部１１ａの外側に配置されている。各引張バネ１４は本体部１１ａの引掛爪１８および移動部材１３の引掛爪２１にそれぞれ係合されている。
この第２実施形態の構成によっても上記第１実施形態とほぼ同様の効果を得ることができる。
【００２５】
（第３実施形態の説明）
図１０は第３実施形態の電池室構造を示す断面図である。第３実施形態では、電池室の外側に圧縮バネ２５が配置されている点で第１実施形態と相違する。圧縮バネ２５は本体部１１ａの延長方向に沿って配置されている。圧縮バネ２５の一端は電池押圧部２０の電池室外側面に固定されている。一方、圧縮バネ２５の他端はカメラ内に設けられた反力受け部２６に固定されている。そして、電池挿入時には、圧縮状態の圧縮バネ２５が電池押圧部２０を押圧することとなる。
【００２６】
この第３実施形態の構成によっても、電池室構造の設計において、電池室形状の制約を受けずに大径のバネまたはストロークの長いバネを使用することができる。特に第３実施形態の構成は、電池室の側壁部分の周囲にバネを配置するスペースを確保できない場合に有効である。
また、第３実施形態では、電池押圧部２０に作用する圧縮バネ２５の復元力によって複数の切片部２２ａが電池底面に強く押し当てられる。すなわち、第３実施形態の構成によっても、接触不良回避のために各切片部２２ａに要求されるバネ力をそれぞれ小さくできる。したがって、電池収納時に蓋体１２にかかるバネ力を減少できるので、電池室構造の小型化、簡素化を図ることができる。
【００２７】
（第４実施形態の説明）
図１１は第４実施形態の電池室構造を示す斜視図である。第４実施形態は本体部１１ａの底面部分に切片部２２が配置されている。そして、移動部材１３の電池押圧部２０は切片部２２ａと独立して電池挿入方向に移動可能となっている。
第４実施形態では、移動部材１３によって電池を電池室の外側に押し出すことができる。そして、第４実施形態の構成でも、電池室構造の設計において、電池室形状の制約を受けずに大径のバネまたはストロークの長いバネを使用することができる。
【図面の簡単な説明】
【００２８】
【図１】第１実施形態の電池室構造の斜視図
【図２】図１のバネ圧縮状態を示す斜視図
【図３】図２を背面側からみた斜視図
【図４】第１実施形態における電池室構造の電池挿入時の状態を示す断面図
【図５】電池室構造での引張バネおよび各切片部のバネ作用の説明図
【図６】第１実施形態における電池室構造の電池取出時の状態を示す断面図
【図７】電池室構造が組み込まれているカメラの底面を示す斜視図
【図８】第２実施形態の電池室構造の斜視図
【図９】図１のバネ圧縮状態を示す斜視図
【図１０】第３実施形態の電池室構造の断面図
【図１１】第４実施形態の電池室構造の斜視図
【符号の説明】
【００２９】
１０…電池室構造、１１…電池室ユニット、１２…蓋体、１３…移動部材、１４…引張バネ、１５…電池、１８…引掛爪、２０…電池押圧部、２２ａ…切片部、２５…圧縮バネ、２６…反力受け部
【図１】
2007026872.tif 000003
【図２】
2007026872.tif 000004
【図３】
2007026872.tif 000005
【図４】
2007026872.tif 000006
【図５】
2007026872.tif 000007
【図６】
2007026872.tif 000008
【図７】
2007026872.tif 000009
【図８】
2007026872.tif 000010
【図９】
2007026872.tif 000011
【図１０】
2007026872.tif 000012
【図１１】
2007026872.tif 000013